(57)【要約】  本発明は、スロットの構成を指示するための方法および装置、ならびにスロットの構成を決定するための方法および装置を提供する。本発明では、基地局はスロットの構成を提供し、基地局は、動的または半静的な方式で端末にスロットの構成を示す。動的または半静的な方式で基地局から前記端末に示すスロットの構成を受信し、端末は、示されたスロットの構成に従って１つ以上のスロットの構成を決定する。本発明によれば、将来のモバイル通信システムがより低いネットワーク遅延を提供し、より多様なサービスをサポートする必要がある場合、システムによってサポートされたスロットの構成はより柔軟かつ多様になる。
2020524965.tif 000002
【特許請求の範囲】
【請求項１】
基地局は、スロット（ｓｌｏｔ）の構成を決定するステップと、
基地局は、動的または半静的な方式でｓｌｏｔの構成を端末に示すステップと、を備えることを特徴とするスロットの構成を示すための方法。
【請求項２】
ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上の直交周波数分割多重（ＯＦＤＭ）シンボルを含み、
前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され領域であり、
ガード期間（ｇｕａｒｄ ｐｅｒｉｏｄ）領域は、基地局側によって提供されるダウンリンクからアップリンクへの変換用の領域であることを特徴とする請求項１に記載のスロットの構成を示すための方法。
【請求項３】
前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記ダウンリンク領域の前、ダウンリンク領域の後にあることを特徴とする請求項２に記載のスロットの構成を示すための方法。
【請求項４】
基地局は、グループ共通物理ダウンリンク制御チャネル（ｇｒｏｕｐ ｃｏｍｍｏｎ ＰＤＣＣＨ）により、前記スロットの構成を前記端末に示すことを特徴とする請求項１から請求項３のいずれか一項に記載のスロットの構成を示すための方法。
【請求項５】
前記ｇｒｏｕｐ ｃｏｍｍｏｎ ＰＤＣＣＨは、端末のグループに対する有効な物理ダウンリンク制御チャネルＰＤＣＣＨであることを特徴とする請求項４に記載のスロットの構成を示すための方法。
【請求項６】
ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知され、および
１つのｇｒｏｕｐ ｃｏｍｍｏｎ ＰＤＣＣＨは、前記Ｎ個のｓｌｏｔの構成（ｓｔｒｕｃｔｕｒｅ）を示すスロットフォーマットｓｌｏｔ ｆｏｒｍａｔ指示フィールドを含み、
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含むことを特徴とする請求項４に記載のスロットの構成を示すための方法。
【請求項７】
基地局は、前記ｓｌｏｔのダウンリンク領域で送信されるダウンリンク制御インジケータ（ＤＣＩ）により、同じまたは異なるｓｌｏｔ内のｕｎｋｎｏｗｎ領域で送信されるデータをスケジュールし、前記データはアップリンクおよび/またはダウンリンクデータであることを特徴とする請求項４に記載のスロットの構成を示すための方法。
【請求項８】
ｓｌｏｔの構成が複数の可能な組み合わせを含むとき、基地局は高位層シグナリングにより、動的通知が必要とするＭ種類のｓｌｏｔ構成を端末に通知し、前記Ｍは自然数であることを特徴とする請求項４から請求項７のいずれか一項に記載のスロットの構成を示すための方法。
【請求項９】
基地局はｇｒｏｕｐ ｃｏｍｍｏｎ ＰＤＣＣＨを通じてｃｅｉｌ(ｌｏｇ２(Ｍ))ｂｉｔが含まれる指示情報を送信し、１つ以上のｓｌｏｔの構成を端末に通知することを特徴とする請求項８に記載のスロットの構成を示すための方法。
【請求項１０】
基地局が高位層シグナリングにより動的に示される必要があるＭ種類のｓｌｏｔ構成を通知するとき、各種類のｓｌｏｔ構成に含まれる領域および各種類の領域に含まれるＯＦＤＭシンボルの数を通知することを特徴とする請求項８に記載のスロットの構成を示すための方法。
【請求項１１】
基地局が半静的な方式でｓｌｏｔの構成を端末に示すとき、高位層シグナリングによりＮｍｓ内の各ｓｌｏｔのアップリンクおよびダウンリンク構成を構成し、前記Ｎは０より大きい正の整数であることを特徴とする請求項１に記載のスロットの構成を示すための方法。
【請求項１２】
基地局から端末に動的または半静的な方式で示されたｓｌｏｔの構成を受信するステップと、
端末は、示されたｓｌｏｔ構成に従って、１つ以上のｓｌｏｔの構成を決定するステップと、を備えることを特徴とするスロットの構成を決定するための方法。
【請求項１３】
ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上のＯＦＤＭシンボルを含み、前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され領域であり、
ガード期間（ｇｕａｒｄ ｐｅｒｉｏｄ）領域は、基地局側によって提供されるダウンリンクからアップリンクへの変換用の領域であることを特徴とする請求項１２に記載のスロットの構成を決定するための方法。
【請求項１４】
前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記ダウンリンク領域の前、ダウンリンク領域の後にあることを特徴とする請求項１３に記載のスロットの構成を決定するための方法。
【請求項１５】
基地局は、ｇｒｏｕｐ ｃｏｍｍｏｎ ＰＤＣＣＨにより、前記端末に示すことを特徴とする請求項１２から請求項１４のいずれか一項に記載のスロットの構成を決定するための方法。
【請求項１６】
前記ｇｒｏｕｐ ｃｏｍｍｏｎ ＰＤＣＣＨは、端末のグループに対して有効なＰＤＣＣＨであることを特徴とする請求項１５に記載のスロットの構成を決定するための方法。
【請求項１７】
ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知され、および
ｇｒｏｕｐ ｃｏｍｍｏｎ ＰＤＣＣＨは、前記Ｎ個のｓｌｏｔのｓｔｒｕｃｔｕｒｅを示すためのｓｌｏｔ ｆｏｒｍａｔ指示フィールド１つを含み、
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含むことを特徴とする請求項１５に記載のスロットの構成を決定するための方法。
【請求項１８】
基地局は、前記ｓｌｏｔのダウンリンク領域で送信されるＤＣＩにより同じまたは異なるｓｌｏｔ内のｕｎｋｎｏｗｎ領域で送信されるデータをスケジュールし、前記データはアップリンクおよび/またはダウンリンクデータであることを特徴とする請求項１５に記載のスロットの構成を決定するための方法。
【請求項１９】
ｓｌｏｔの構成が複数の可能な組み合わせを含むとき、端末は、基地局によって高位層シグナリングを通じて送信された通知に従って、動的通知が必要とするＭ種類のｓｌｏｔ構成を取得することを特徴とする請求項１５から請求項１８のいずれか一項に記載のスロットの構成を決定するための方法。
【請求項２０】
基地局はｇｒｏｕｐ ｃｏｍｍｏｎ ＰＤＣＣＨを通じてｃｅｉｌ(ｌｏｇ２(Ｍ))ｂｉｔが含まれる指示情報を送信し、１つ以上のｓｌｏｔの構成を端末に通知することを特徴とする請求項１９に記載のスロットの構成を決定するための方法。
【請求項２１】
基地局が高位層シグナリングにより動的に示される必要があるＭ種類のｓｌｏｔ構成を通知するとき、各種類のｓｌｏｔ構成に含まれる領域および各種類の領域に含まれるＯＦＤＭシンボルの数を通知することを特徴とする請求項１９に記載のスロットの構成を決定するための方法。
【請求項２２】
基地局が半静的な方式でｓｌｏｔの構成を端末に示すとき、高位層シグナリングによりＮｍｓ内の各ｓｌｏｔのアップリンクおよびダウンリンク構成を構成し、前記Ｎは０より大きい正の整数であることを特徴とする請求項１２に記載のスロットの構成を決定するための方法。
【請求項２３】
基地局においてｓｌｏｔの構成を決定するように構成された構成決定モジュールと、
基地局において、動的または半静的な方式でｓｌｏｔの構成を端末に示すように構成された指示モジュールと、を備えることを特徴とするスロットの構成を示すための装置。
【請求項２４】
ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上のＯＦＤＭシンボルを含み、
前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され領域であり、
ガード期間（ｇｕａｒｄ ｐｅｒｉｏｄ）領域は、基地局側によって提供されるダウンリンクからアップリンクへの変換用の領域であることを特徴とする請求項２３に記載のスロットの構成を示すための装置。
【請求項２５】
前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記ダウンリンク領域の前、ダウンリンク領域の後にあることを特徴とする請求項２４に記載のスロットの構成を示すための装置。
【請求項２６】
前記指示モジュールは、ｇｒｏｕｐ ｃｏｍｍｏｎ ＰＤＣＣＨにより、前記スロットの構成を端末に示すことを特徴とする請求項２３から請求項２５のいずれか一項に記載のスロットの構成を示すための装置。
【請求項２７】
前記ｇｒｏｕｐ ｃｏｍｍｏｎ ＰＤＣＣＨは、端末のグループに対して有効なＰＤＣＣＨであることを特徴とする請求項２６に記載のスロットの構成を示すための装置。
【請求項２８】
前記指示モジュールは、さらに、
ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知され、および
ｇｒｏｕｐ ｃｏｍｍｏｎ ＰＤＣＣＨは、前記Ｎ個のｓｌｏｔのｓｔｒｕｃｔｕｒｅを示すためのｓｌｏｔ ｆｏｒｍａｔ指示フィールド１つを含み、
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含むことを特徴とする請求項２６に記載のスロットの構成を示すための装置。
【請求項２９】
指示モジュールは、さらに、前記ｓｌｏｔのダウンリンク領域で送信されるＤＣＩにより、同じまたは異なるｓｌｏｔ内のｕｎｋｎｏｗｎ領域で送信されるデータをスケジュールし、前記データはアップリンクおよび/またはダウンリンクデータであることを特徴とする請求項２６に記載のスロットの構成を示すための装置。
【請求項３０】
前記指示モジュールは、さらに、ｓｌｏｔの構成が複数の可能な組み合わせを含むとき、動的通知が必要とするＭ種類のｓｌｏｔ構成を高位層シグナリングにより端末に通知し、前記Ｍは自然数であることを特徴とする請求項２６から請求項２９のいずれか一項に記載のスロットの構成を示すための装置。
【請求項３１】
前記指示モジュールは、さらに、ｇｒｏｕｐ ｃｏｍｍｏｎ ＰＤＣＣＨにより、ｃｅｉｌ(ｌｏｇ２(Ｍ))ｂｉｔが含まれる指示情報を送信し、１つ以上のｓｌｏｔの構成を端末に通知することを特徴とする請求項３０に記載のスロットの構成を示すための装置。
【請求項３２】
前記指示モジュールは、さらに、動的に示される必要があるＭ種類のｓｌｏｔ構成を高位層シグナリングにより通知するとき、各種類のｓｌｏｔ構成に含まれる領域および各種類の領域に含まれるＯＦＤＭシンボルの数を通知することを特徴とする請求項３０に記載のスロットの構成を示すための装置。
【請求項３３】
指示モジュールは、さらに、半静的な方式でｓｌｏｔの構成を端末に示すとき、高位層シグナリングによりＮｍｓ内の各ｓｌｏｔのアップリンクおよびダウンリンク構成を構成し、前記Ｎは０より大きい正の整数であることを特徴とする請求項２３に記載のスロットの構成を示すための装置。
【請求項３４】
受信基地局によって端末に動的または半静的な方式で示されたｓｌｏｔの構成を受信するように構成された受信モジュールと、
端末において、示されたｓｌｏｔ構成に従って、１つ以上のｓｌｏｔの構成を決定するように構成されたｓｌｏｔ決定モジュールと、を備えることを特徴とするスロットの構成を決定するための装置。
【請求項３５】
ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上のＯＦＤＭシンボルを含み、
前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され領域であり、
ガード期間（ｇｕａｒｄ ｐｅｒｉｏｄ）領域は、基地局側によって提供されるダウンリンクからアップリンクへの変換用の領域であることを特徴とする請求項３４に記載のスロットの構成を決定するための装置。
【請求項３６】
前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記ダウンリンク領域の前、ダウンリンク領域の後にあることを特徴とする請求項３５に記載のスロットの構成を決定するための装置。
【請求項３７】
前記受信モジュールは、さらに、ｇｒｏｕｐ ｃｏｍｍｏｎ ＰＤＣＣＨを通じて基地局から端末に送信された指示を受信することを特徴とする請求項３４から請求項３６のいずれか一項に記載のスロットの構成を決定するための装置。
【請求項３８】
前記ｇｒｏｕｐ ｃｏｍｍｏｎ ＰＤＣＣＨは、端末のグループに対して有効なＰＤＣＣＨであることを特徴とする請求項３７に記載のスロットの構成を決定するための装置。
【請求項３９】
ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知され、および
ｇｒｏｕｐ ｃｏｍｍｏｎ ＰＤＣＣＨは、前記Ｎ個のｓｌｏｔのｓｔｒｕｃｔｕｒｅを示すためのｓｌｏｔ ｆｏｒｍａｔ指示フィールド１つを含み、
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含むことを特徴とする請求項３７に記載のスロットの構成を決定するための装置。
【請求項４０】
基地局は、前記ｓｌｏｔのダウンリンク領域で送信されるＤＣＩにより、同じまたは異なるｓｌｏｔのｕｎｋｎｏｗｎ領域で送信されるデータをスケジュールし、前記データはアップリンクおよび/またはダウンリンクデータであることを特徴とする請求項３７に記載のスロットの構成を決定するための装置。
【請求項４１】
前記ｓｌｏｔ決定モジュールは、さらに、ｓｌｏｔの構成が複数の可能な組み合わせを含むとき、基地局によって高位層シグナリングを通じて送信された通知に従って、動的通知が必要とするＭ種類のｓｌｏｔ構成を取得し、前記Ｍは自然数であることを特徴とする請求項３７から請求項４０のいずれか一項に記載のスロットの構成を決定するための装置。
【請求項４２】
基地局はｇｒｏｕｐ ｃｏｍｍｏｎ ＰＤＣＣＨを通じてｃｅｉｌ(ｌｏｇ２(Ｍ))ｂｉｔが含まれる指示情報を送信し、１つ以上のｓｌｏｔの構成を端末に通知することを特徴とする請求項４１に記載のスロットの構成を決定するための装置。
【請求項４３】
基地局が高位層シグナリングにより動的に示される必要があるＭ種類のｓｌｏｔ構成を通知するとき、各種類のｓｌｏｔ構成に含まれる領域および各種類の領域に含まれるＯＦＤＭシンボルの数を通知することを特徴とする請求項４１に記載のスロットの構成を決定するための装置。
【請求項４４】
前記受信モジュールは、さらに、基地局によって半静的な方式で前記端末に示されたｓｌｏｔの構成を受信するとき、高位層シグナリングによりＮｍｓ内の各ｓｌｏｔのアップリンクおよびダウンリンク構成を構成し、前記Ｎは０より大きい正の整数であることを特徴とする請求項３４に記載のスロットの構成を決定するための装置。
【請求項４５】
メモリ内のプログラムを読み取り、次のプロセスを実行するように構成されたプロセッサと、
プロセッサの制御下でデータを送受信し、次のプロセスを実行するように構成された送受信機と、を備え、
前記プロセッサは、ｓｌｏｔの構成を決定し、
前記送受信機は、動的または半静的な方式でｓｌｏｔの構成を端末に示すことを特徴とするスロットの構成を示すための装置。
【請求項４６】
ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上のＯＦＤＭシンボルを含み、
前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され領域であり、
ガード期間（ｇｕａｒｄ ｐｅｒｉｏｄ）領域は、基地局側によって提供されるダウンリンクからアップリンクへの変換用の領域であることを特徴とする請求項４５に記載のスロットの構成を示すための装置。
【請求項４７】
前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記ダウンリンク領域の前、ダウンリンク領域の後にあることを特徴とする請求項４６に記載のスロットの構成を示すための装置。
【請求項４８】
前記送受信機は、ｇｒｏｕｐ ｃｏｍｍｏｎ ＰＤＣＣＨにより、前記端末に示すことを特徴とする請求項４５から請求項４７のいずれか一項に記載のスロットの構成を示すための装置。
【請求項４９】
前記ｇｒｏｕｐ ｃｏｍｍｏｎ ＰＤＣＣＨは、端末のグループに対して有効なＰＤＣＣＨであることを特徴とする請求項４８に記載のスロットの構成を示すための装置。
【請求項５０】
送受信機は、さらに、ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知され、および
ｇｒｏｕｐ ｃｏｍｍｏｎ ＰＤＣＣＨは、前記Ｎ個のｓｌｏｔのｓｔｒｕｃｔｕｒｅを示すためのｓｌｏｔ ｆｏｒｍａｔ指示フィールド１つを含み、
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含むことを特徴とする請求項４８に記載のスロットの構成を示すための装置。
【請求項５１】
ｇｒｏｕｐ ｃｏｍｍｏｎ ＰＤＣＣＨ内のｓｌｏｔ ｆｏｒｍａｔ指示フィールドによりｕｎｋｎｏｗｎ領域として示されることを特徴とする請求項４８に記載のスロットの構成を示すための装置。
【請求項５２】
送受信機は、さらに、前記ｓｌｏｔのダウンリンク領域で送信されるＤＣＩにより、同じまたは異なるｓｌｏｔ内のｕｎｋｎｏｗｎ領域で送信されるデータをスケジュールし、前記データはアップリンクおよび/またはダウンリンクデータであることを特徴とする請求項４８に記載のスロットの構成を示すための装置。
【請求項５３】
送受信機は、さらに、半静的な方式でｓｌｏｔの構成を端末に示すとき、高位層シグナリングによりＮｍｓ内の各ｓｌｏｔのアップリンクおよびダウンリンク構成を構成し、前記Ｎは０より大きい正の整数であることを特徴とする請求項４５に記載のスロットの構成を示すための装置。
【請求項５４】
プロセッサの制御下でデータを送受信し、次のプロセスを実行するように構成された送受信機と、
メモリ内のプログラムを読み取り、次のプロセスを実行するように構成されたプロセッサと、を備え、
前記送受信機は、基地局から端末に動的または半静的な方式で示されるｓｌｏｔの構成を受信し、
前記プロセッサは、示されたｓｌｏｔ構成に従って、１つ以上のｓｌｏｔの構成を決定することを特徴とするスロットの構成を決定するための装置。
【請求項５５】
ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上のＯＦＤＭシンボルを含み、
前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され領域であり、
ガード期間（ｇｕａｒｄ ｐｅｒｉｏｄ）領域は、基地局側によって提供されるダウンリンクからアップリンクへの変換用の領域であることを特徴とする請求項５４に記載のスロットの構成を決定するための装置。
【請求項５６】
前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記ダウンリンク領域の前、ダウンリンク領域の後にあることを特徴とする請求項５５に記載のスロットの構成を決定するための装置。
【請求項５７】
前記送受信機は、ｇｒｏｕｐ ｃｏｍｍｏｎ ＰＤＣＣＨにより、前記端末に示すことを特徴とする請求項５４から請求項５６のいずれか一項に記載のスロットの構成を決定するための装置。
【請求項５８】
前記ｇｒｏｕｐ ｃｏｍｍｏｎ ＰＤＣＣＨは、端末のグループに対して有効なＰＤＣＣＨであることを特徴とする請求項５７に記載のスロットの構成を決定するための装置。
【請求項５９】
送受信機は、さらに、
ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知され、および
ｇｒｏｕｐ ｃｏｍｍｏｎ ＰＤＣＣＨは、前記Ｎ個のｓｌｏｔのｓｔｒｕｃｔｕｒｅを示すためのｓｌｏｔ ｆｏｒｍａｔ指示フィールド１つを含み、
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含むことを特徴とする請求項５７に記載のスロットの構成を決定するための装置。
【請求項６０】
ｇｒｏｕｐ ｃｏｍｍｏｎ ＰＤＣＣＨ内のｓｌｏｔ ｆｏｒｍａｔ指示フィールドによりｕｎｋｎｏｗｎ領域として示されることを特徴とする請求項５７に記載のスロットの構成を決定するための装置。
【請求項６１】
送受信機は、さらに、前記ｓｌｏｔのダウンリンク領域で送信されるＤＣＩにより、同じまたは異なるｓｌｏｔ内のｕｎｋｎｏｗｎ領域で送信されるデータをスケジュールし、前記データはアップリンクおよび/またはダウンリンクデータであることを特徴とする請求項５７に記載のスロットの構成を決定するための装置。
【請求項６２】
送受信機は、さらに、半静的な方式でｓｌｏｔの構成を端末に示すとき、高位層シグナリングによりＮｍｓ内の各ｓｌｏｔのアップリンクおよびダウンリンク構成を構成し、前記Ｎは０より大きい正の整数であることを特徴とする請求項５４に記載のスロットの構成を決定するための装置。
【発明の詳細な説明】
【技術分野】
【０００１】
関連出願の相互参照
本出願は、２０１７年６月２３日および２０１７年８月１１日に中国特許局に提出し、出願番号が２０１７１０４８６７９０.２および２０１７１０６８５４８６.０であり、発明名称が「スロットの構成を示すための方法および装置、ならびにスロットの構成を決定するための方法および装置」との中国特許出願を基礎とする優先権を主張し、その開示の総てをここに取り込む。
【０００２】
本発明は、通信技術分野に関し、特にスロットの構成を示すための方法および装置、ならびにスロットの構成を決定するための方法および装置に関する。
【背景技術】
【０００３】
モバイルインターネットは、従来のモバイル通信サービスモードを破壊し、ユーザーに前例のない使用体験を提供し、人々の仕事と生活のあらゆる側面に大きな影響を与える。モバイルインターネットは、人間の社会情報の相互作用方法のさらなるアップグレードを促進し、拡張現実、仮想現実、超高解像度（３Ｄ）ビデオ、モバイルクラウドなどでより豊かなサービスエクスペリエンスをユーザーに提供する。モバイルインターネットのさらなる発展は、将来的にモバイルトラフィックの千倍の増加をもたらし、モバイル通信技術と産業の新しいラウンドの変化を促進する。モノのインターネット（ＩｏＴ）は、モバイル通信のサービスの範囲を、人と人のコミュニケーションから、人と物の間、物と物の間のインテリジェントな相互接続に拡大し、モバイル通信技術を産業および分野のより広範囲に浸透させていく。将来的には、モバイル医療、車両のインターネット、スマートホーム、産業制御、環境監視などがモノのインターネットアプリケーションの爆発的な成長を促進し、数千億のデバイスがネットワークにアクセスして真の「すべてのインターネット」を実現する。さらに、大規模なデバイスと多様化されたモノのインターネットサービスの接続も、モバイル通信に新たな技術的課題をもたらす。
【０００４】
絶え間ない出現と新しいサービス要件の充実により、より高いピークレート、より大きなユーザー体験レート、より小さな遅延、より高い信頼性、より高いスペクトル効率およびより高いエネルギー効率など、より高い性能要求が将来のモバイル通信システムに課される。また、将来のモバイル通信システムは、ユーザーのアクセスおよびさまざまな種類のサービスの使用をサポートする必要がある。多数の種類のユーザー機器とさまざまなサービスタイプの接続をサポートするために、アップリンクおよびダウンリンクリソースの柔軟な構成が技術開発の主要な傾向になった。将来のシステムリソースは、さまざまなサービスに従ってさまざまなサブバンドに分割される可能性があり、さまざまなサービス要件を満たすために、さまざまな長さの伝送時間間隔（Ｔｒａｎｓｍｉｓｓｉｏｎ Ｔｉｍｅ Ｉｎｔｅｒｖａｌ，ＴＴＩ）がサブバンドにおいて分割される。
【０００５】
図１は、フレーム構成タイプ１（ｆｒａｍｅ ｓｔｒｕｃｔｕｒｅ ｔｙｐｅ １）の概略構成図である。図に示すように、従来のロングタームエボリューション（Ｌｏｎｇ Ｔｅｒｍ Ｅｖｏｌｕｔｉｏｎ，ＬＴＥ）周波数分割二重（Ｆｒｅｑｕｅｎｃｙ Ｄｉｖｉｓｉｏｎ Ｄｕｐｌｅｘ，ＦＤＤ）システムは、フレーム構成タイプ１（ｆｒａｍｅ ｓｔｒｕｃｔｕｒｅ ｔｙｐｅ １，ＦＳ１）を使用し、その構成は図１に示すとおりである。ＦＤＤシステムでは、アップリンクとダウンリンクの送信は、異なるキャリア周波数と同じフレーム構成を使用して実現される。各キャリアで、長さ１０ ｍｓの１つの無線フレームには長さ１ｍｓの１０個のサブフレームが含まれ、各サブフレームは長さ０.５ ｍｓの２つのスロットに分割される。アップリンクおよびダウンリンクのデータ送信のＴＴＩ期間は１ ｍｓである。
【０００６】
図２は、フレーム構成タイプ２（ｆｒａｍｅ ｓｔｒｕｃｔｕｒｅ ｔｙｐｅ ２）の概略構成図である。図に示すように、既存のＬＴＥ時分割複信（Ｔｉｍｅ Ｄｉｖｉｓｉｏｎ Ｄｕｐｌｅｘ，ＬＴＥ ＴＤＤ）システムは、フレーム構成タイプ２（ＦＳ２）を使用し、その構成は示されるとおりである。図２に示すように、ＴＤＤシステムでは、アップリンクとダウンリンクの送信は、同じ周波数で異なるサブフレームまたは異なるスロットを使用して実現される。ＦＳ２で長さが１０ｍｓの各無線フレームは、２つの５ｍｓハーフフレームで構成され、各ハーフフレームには５つの１ｍｓサブフレームが含まれる。ＦＳ２のサブフレームは、ダウンリンクサブフレーム、アップリンクサブフレーム、特殊サブフレームの３つのカテゴリに分類される。各特殊サブフレームには、ダウンリンクパイロットタイムスロット（Ｄｏｗｎｌｉｎｋ Ｐｉｌｏｔ Ｔｉｍｅ Ｓｌｏｔ，ＤｗＰＴＳ）、ガード期間ＧＰ、およびアップリンクパイロットタイムスロット（Ｕｐｌｉｎｋ Ｐｉｌｏｔ Ｔｉｍｅ Ｓｌｏｔ，ＵｐＰＴＳ）の３つの部分が含まれる。ＤｗＰＴＳは、ダウンリンクパイロット、ダウンリンクサービスデータ、およびダウンリンク制御シグナリングを送信する。ＧＰはいかなる信号を送信しない。ＵｐＰＴＳは、ランダムアクセス信号とサウンディングリファレンスシンボル（Ｓｏｕｎｄｉｎｇ Ｒｅｆｅｒｅｎｃｅ Ｓｙｍｂｏｌ，ＳＲＳ）のみを送信し、アップリンクサービスまたはアップリンク制御情報を送信しない場合がある。各ハーフフレームには、少なくとも１つのダウンリンクサブフレーム、少なくとも１つのアップリンクサブフレーム、および最大１つの特別なサブフレームが含まれる。ＦＳ２でサポートされる７つのアップリンクおよびダウンリンク構成は、表１に示されている。
【０００７】
【表１】
2020524965.tif 000003
【発明の概要】
【発明が解決しようとする課題】
【０００８】
既存のＬＴＥシステムでは、ＴＴＩは１ｍｓの長さに固定されている。ＦＤＤシステムの場合、アップリンクとダウンリンクの送信は、異なるキャリア周波数と同じフレーム構成を使用して実現される。ＴＤＤシステムの場合、サブフレームは、ダウンリンクサブフレーム、アップリンクサブフレーム、および特殊サブフレームに分類される。将来のモバイル通信システムには、より幅広い種類のサービスがあり、スロット（ｓｌｏｔ）には、さまざまなサービス要求をサポートするために、より豊富な構成とより柔軟な構成が必要である。しかし、従来技術の欠点は、現在、ｓｌｏｔの構成をどのように示すかに関して明確な解決策がないことである。
【０００９】
本発明は、モバイル体通信システムによってサポートされるスロットの構成をより柔軟かつ多様にするために、スロットの構成を示すための方法および装置、ならびにスロットの構成を決定するための方法および装置を提供する。
【課題を解決するための手段】
【００１０】
本発明の実施形態によるスロットの構成を示すための方法は、
基地局は、ｓｌｏｔの構成を決定するステップと、
基地局は、動的または半静的な方式でｓｌｏｔの構成を端末に示すステップと、を備える。
【００１１】
実施中、ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上のＯＦＤＭシンボルを含み、
前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され領域であり、
ガード期間（ｇｕａｒｄ ｐｅｒｉｏｄ）領域は、基地局側によって提供されるダウンリンクからアップリンクへの変換用の領域である。
【００１２】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記ダウンリンク領域の前、ダウンリンク領域の後にある。
【００１３】
実施中、基地局は、ｇｒｏｕｐ ｃｏｍｍｏｎ ＰＤＣＣＨにより、前記端末に示す。
【００１４】
実施中、前記ｇｒｏｕｐ ｃｏｍｍｏｎ ＰＤＣＣＨは、端末のグループに対して有効なＰＤＣＣＨである。
【００１５】
実施中、ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知され、および
ｇｒｏｕｐ ｃｏｍｍｏｎ ＰＤＣＣＨは、前記Ｎ個のｓｌｏｔのｓｔｒｕｃｔｕｒｅを示すためのｓｌｏｔ ｆｏｒｍａｔ指示フィールド１つを含み、
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含む。
【００１６】
実施中、基地局は、前記ｓｌｏｔのダウンリンク領域で送信されるＤＣＩにより同じまたは異なるｓｌｏｔ内のｕｎｋｎｏｗｎ領域で送信されるデータをスケジュールし、前記データはアップリンクおよび/またはダウンリンクデータである。
【００１７】
実施中、ｓｌｏｔの構成が複数の可能な組み合わせを含むとき、基地局は高位層シグナリングにより、動的通知が必要とするＭ種類のｓｌｏｔ構成を端末に通知し、前記Ｍは自然数である。
【００１８】
実施中、基地局はｇｒｏｕｐ ｃｏｍｍｏｎ ＰＤＣＣＨを通じてｃｅｉｌ(ｌｏｇ２(Ｍ))ｂｉｔが含まれる指示情報を送信し、１つ以上のｓｌｏｔの構成を端末に通知する。
【００１９】
実施中、基地局が高位層シグナリングにより動的に示される必要があるＭ種類のｓｌｏｔ構成を通知するとき、各種類のｓｌｏｔ構成に含まれる領域および各種類の領域に含まれるＯＦＤＭシンボルの数を通知する。
【００２０】
実施中、基地局が半静的な方式でｓｌｏｔの構成を端末に示すとき、高位層シグナリングによりＮｍｓ内の各ｓｌｏｔのアップリンクおよびダウンリンク構成を構成し、前記Ｎは０より大きい正の整数である。
【００２１】
本発明の実施形態によるスロットの構成を決定するための方法は、
基地局から前記端末に動的または半静的な方式で示されるｓｌｏｔの構成を受信するステップと、
端末は、示されたｓｌｏｔ構成に従って、１つ以上のｓｌｏｔの構成を決定するステップと、を備える。
【００２２】
実施中、ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上のＯＦＤＭシンボルを含み、
前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され
実施中、基地局は、ｇｒｏｕｐ ｃｏｍｍｏｎ ＰＤＣＣ領域であり、
ガード期間（ｇｕａｒｄ ｐｅｒｉｏｄ）領域は、基地局側によって提供されるダウンリンクからアップリンクへの変換用の領域である。
【００２３】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記ダウンリンク領域の前、ダウンリンク領域の後にある。
【００２４】
Ｈにより、前記端末に示す。
【００２５】
実施中、前記ｇｒｏｕｐ ｃｏｍｍｏｎ ＰＤＣＣＨは、端末のグループに対して有効なＰＤＣＣＨである。
【００２６】
実施中、ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知され、および
ｇｒｏｕｐ ｃｏｍｍｏｎ ＰＤＣＣＨは、前記Ｎ個のｓｌｏｔのｓｔｒｕｃｔｕｒｅを示すためのｓｌｏｔ ｆｏｒｍａｔ指示フィールド１つを含み、
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含む。
【００２７】
実施中、基地局は、前記ｓｌｏｔのダウンリンク領域で送信されるＤＣＩにより同じまたは異なるｓｌｏｔ内のｕｎｋｎｏｗｎ領域で送信されるデータをスケジュールし、前記データはアップリンクおよび/またはダウンリンクデータである。
【００２８】
実施中、ｓｌｏｔの構成が複数の可能な組み合わせを含むとき、端末は、基地局によって高位層シグナリングを通じて送信された通知に従って、動的通知が必要とするＭ種類のｓｌｏｔ構成を取得し、前記Ｍは自然数である。
【００２９】
実施中、基地局はｇｒｏｕｐ ｃｏｍｍｏｎ ＰＤＣＣＨを通じてｃｅｉｌ(ｌｏｇ２(Ｍ))ｂｉｔが含まれる指示情報を送信し、１つ以上のｓｌｏｔの構成を端末に通知する。
【００３０】
実施中、基地局が高位層シグナリングにより動的に示される必要があるＭ種類のｓｌｏｔ構成を通知するとき、各種類のｓｌｏｔ構成に含まれる領域および各種類の領域に含まれるＯＦＤＭシンボルの数を通知する。
【００３１】
実施中、基地局が半静的な方式でｓｌｏｔの構成を端末に示すとき、高位層シグナリングによりＮｍｓ内の各ｓｌｏｔのアップリンクおよびダウンリンク構成を構成し、前記Ｎは０より大きい正の整数である。
【００３２】
本発明の実施形態によるスロットの構成を示すための装置は、
基地局においてｓｌｏｔの構成を決定するように構成された構成決定モジュールと、
基地局において、動的または半静的な方式でｓｌｏｔの構成を端末に示すように構成された指示モジュールと、を備える。
【００３３】
実施中、ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上のＯＦＤＭシンボルを含み、
前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され領域であり、
ガード期間（ｇｕａｒｄ ｐｅｒｉｏｄ）領域は、基地局側によって提供されるダウンリンクからアップリンクへの変換用の領域である。
【００３４】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記ダウンリンク領域の前、ダウンリンク領域の後にある。
【００３５】
実施中、指示モジュールは、ｇｒｏｕｐ ｃｏｍｍｏｎ ＰＤＣＣＨにより、前記スロットの構成を端末に示す。
【００３６】
実施中、前記ｇｒｏｕｐ ｃｏｍｍｏｎ ＰＤＣＣＨは、端末のグループに対して有効なＰＤＣＣＨである。
【００３７】
実施中、指示モジュールは、さらに、ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知され、および
ｇｒｏｕｐ ｃｏｍｍｏｎ ＰＤＣＣＨは、前記Ｎ個のｓｌｏｔのｓｔｒｕｃｔｕｒｅを示すためのｓｌｏｔ ｆｏｒｍａｔ指示フィールド１つを含み、
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含む。
【００３８】
実施中、指示モジュールは、さらに、前記ｓｌｏｔのダウンリンク領域で送信されるＤＣＩにより、同じまたは異なるｓｌｏｔのｕｎｋｎｏｗｎ領域で送信されるデータをスケジュールし、前記データはアップリンクおよび/またはダウンリンクデータである。
【００３９】
実施中、指示モジュールは、さらに、ｓｌｏｔの構成が複数の可能な組み合わせを含むとき、高位層シグナリングにより動的通知が必要とするｓｌｏｔ構成を端末に通知する。
【００４０】
実施中、指示モジュールは、さらに、ｇｒｏｕｐ ｃｏｍｍｏｎ ＰＤＣＣＨにより、ｃｅｉｌ(ｌｏｇ２(Ｍ))ｂｉｔが含まれる指示情報を送信し、１つ以上のＭ種類のｓｌｏｔ構成を端末に通知し、前記Ｍは自然数である。
【００４１】
実施中、前記指示モジュールは、さらに、動的に示される必要があるＭ種類のｓｌｏｔ構成を高位層シグナリングにより通知するとき、各種類のｓｌｏｔ構成に含まれる領域および各種類の領域に含まれるＯＦＤＭシンボルの数を通知する。
【００４２】
実施中、前記指示モジュールは、さらに、半静的な方式でｓｌｏｔの構成を端末に示すとき、高位層シグナリングによりＮｍｓ内の各ｓｌｏｔのアップリンクおよびダウンリンク構成を構成し、前記Ｎは０より大きい正の整数である。
【００４３】
本発明の実施形態によるスロットの構成を決定するための装置は、
受信基地局によって端末に動的または半静的な方式で示されたｓｌｏｔの構成を受信するように構成された受信モジュールと、
端末において、示されたｓｌｏｔ構成に従って、１つ以上のｓｌｏｔの構成を決定するように構成されたｓｌｏｔ決定モジュールと、を備える。
【００４４】
実施中、ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上のＯＦＤＭシンボルを含み、
前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され領域であり、
ガード期間（ｇｕａｒｄ ｐｅｒｉｏｄ）領域は、基地局側によって提供されるダウンリンクからアップリンクへの変換用の領域である。
【００４５】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記ダウンリンク領域の前、ダウンリンク領域の後にある。
【００４６】
実施中、受信モジュールは、さらに、ｇｒｏｕｐ ｃｏｍｍｏｎ ＰＤＣＣＨを通じて基地局から端末に送信された指示を受信する。
【００４７】
実施中、前記ｇｒｏｕｐ ｃｏｍｍｏｎ ＰＤＣＣＨは、端末のグループに対して有効なＰＤＣＣＨである。
【００４８】
実施中、ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知され、および
ｇｒｏｕｐ ｃｏｍｍｏｎ ＰＤＣＣＨは、前記Ｎ個のｓｌｏｔのｓｔｒｕｃｔｕｒｅを示すためのｓｌｏｔ ｆｏｒｍａｔ指示フィールド１つを含み、
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含む。
【００４９】
実施中、基地局は、前記ｓｌｏｔのダウンリンク領域で送信されるＤＣＩにより同じまたは異なるｓｌｏｔ内のｕｎｋｎｏｗｎ領域で送信されるデータをスケジュールし、前記データはアップリンクおよび/またはダウンリンクデータである。
【００５０】
実施中、ｓｌｏｔ決定モジュールは、さらに、ｓｌｏｔの構成が複数の可能な組み合わせを含むとき、基地局によって高位層シグナリングを通じて送信された通知に従って、動的通知が必要とするＭ種類のｓｌｏｔ構成を取得し、前記Ｍは自然数である。
【００５１】
実施中、基地局はｇｒｏｕｐ ｃｏｍｍｏｎ ＰＤＣＣＨを通じてｃｅｉｌ(ｌｏｇ２(Ｍ))ｂｉｔが含まれる指示情報を送信し、１つ以上のｓｌｏｔの構成を端末に通知する。
【００５２】
実施中、基地局が高位層シグナリングにより動的に示される必要があるＭ種類のｓｌｏｔ構成を通知するとき、各種類のｓｌｏｔ構成に含まれる領域および各種類の領域に含まれるＯＦＤＭシンボルの数を通知する。
【００５３】
実施中、受信モジュールは、さらに、基地局によって半静的な方式で前記端末に示されたｓｌｏｔの構成を受信するとき、高位層シグナリングによりＮｍｓ内の各ｓｌｏｔのアップリンクおよびダウンリンク構成を構成し、前記Ｎは０より大きい正の整数である。
【発明の効果】
【００５４】
本発明は、以下の有益な効果を有する。
【００５５】
本発明の実施形態によって提供される技術的解決策では、基地局は、動的または半静的な方式でｓｌｏｔの構成を端末に示し、端末は、示されたｓｌｏｔ構成に従って、１つ以上のｓｌｏｔの構成を決定する。したがって、将来のモバイル通信システムがより低いネットワーク遅延を提供し、より多様なサービスをサポートする必要がある場合、システムによってサポートされるｓｌｏｔの構成はより柔軟で多様である。
【図面の簡単な説明】
【００５６】
本発明に係る実施例や従来の技術解決策をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図１】従来技術におけるｆｒａｍｅ ｓｔｒｕｃｔｕｒｅ ｔｙｐｅ １の概略構成図である。
【図２】従来技術におけるｆｒａｍｅ ｓｔｒｕｃｔｕｒｅ ｔｙｐｅ ２の概略構成図である。
【図３】本発明の実施形態におけるスロットの構成を示すための方法の実施フローチャートである。
【図４】本発明の実施形態における端末側でのスロットの構成を決定するための方法の実施フローチャートである。
【図５】本発明の実施形態における第４の実施形態のｓｌｏｔ構成情報の概略図である。
【図６】本発明の実施形態における基地局側でのスロットの構成を示すための装置の概略構成図である。
【図７】本発明の実施形態における端末側でのスロットの構成を決定するための装置の概略構成図である。
【図８】本発明の実施形態における基地局の概略構成図である。
【図９】本発明の実施形態における端末の概略構成図である。
【発明を実施するための形態】
【００５７】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００５８】
本発明の技術案は多様な通信システムに応用することができる。例えば、ＧＳＭ（登録商標）（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ（登録商標）（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）、新しい無線（Ｎｅｗ ｒａｄｉｏ，ＮＲ）などに応用できる。
【００５９】
また、本発明に係る実施例において、ユーザー機器（Ｕｓｅｒ Ｅｑｕｉｐｍｅｎｔ，ＵＥ）は、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【００６０】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭ（登録商標）またはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）、または５Ｇ ＮＲにおける基地局（ｇＮＢ）であってもよいが、本発明をそれに限定しない。ＬＴＥシステムでは、１つのサブフレーム内のアップリンクおよびダウンリンク構成が固定されている。たとえば、ＦＤＤシステムでは、１つのサブフレームがすべてアップリンクとすべてダウンリンクの両方をサポートすることができる。ＴＤＤシステムの場合、サブフレーム内の直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘ，ＯＦＤＭ）シンボルはすべてアップリンク送信用またはすべてダウンリンク送信用であるか、ＤＬ\ＧＰ\ＵＬを含む。特定のスロットの構成は、高位層シグナリングで設定されたサブフレーム構成によって決定される。モバイル技術の発展に伴い、将来のモバイル通信システムは、より低いネットワーク遅延を提供し、さまざまなサービスをサポートする必要がある。システムがサポートするスロットの構成もより柔軟である。現在、スロットの構成を端末に示す方法に関する明確な解決策はまだない。これに基づいて、本発明の実施形態は、基地局が動的または半静的な方式でスロット内のアップリンクおよびダウンリンク構成を示す解決策を提供する。本発明の特定の実施は、添付の図面と組み合わせて以下に説明される。
【００６１】
説明中、以下の本発明の実施形態で提供される解決策の実施をよりよく理解するため、基地局側および端末側からの実施がそれぞれ記述され、その後、基地局および端末側が一緒に実施される例が提供される。このような記述方法は、基地局と端末を一緒に実施する必要がある、または別々に実施する必要があることを意味しない。実際、端末と基地局が別々に実施されると、端末側と基地局側の問題はそれぞれ解決されるし、端末と基地局を組み合わせて使用すると、より優れた技術的効果が得られる。
【００６２】
図３は、スロットの構成を示すための方法の実施フローチャートであり、図に示すように、この方法には以下のステップが備えられる。 
【００６３】
ステップ３０１において、基地局は、ｓｌｏｔの構成を決定する。
【００６４】
ステップ３０２において、基地局は、動的または半静的な方式でｓｌｏｔの構成を端末に示す。
【００６５】
実施中、ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上のＯＦＤＭシンボルを含む。
【００６６】
ここで、
前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され領域であり、
ガード期間（ｇｕａｒｄ ｐｅｒｉｏｄ）領域は、基地局側によって提供されるダウンリンクからアップリンクへの変換用の領域である。
【００６７】
具体的には、スロットの構成は、以下のように定義されてもよい。
【００６８】
ｓｌｏｔは、アップリンク領域、ダウンリンク領域、未知の（ｕｎｋｎｏｗｎ）領域、ｅｍｐｔｙ領域およびｇｕａｒｄ ｐｅｒｉｏｄなどなどを含むが、これらに限定されない。
【００６９】
前記アップリンク領域は、１つ以上のＯＦＤＭシンボルを含み、前記アップリンク領域は、アップリンクデータのみを送信する。
【００７０】
前記ダウンリンク領域は、１つ以上のＯＦＤＭシンボルを含み、前記ダウンリンク領域は、ダウンリンクデータのみを送信する。
【００７１】
前記未知の領域は、１つ以上のＯＦＤＭシンボルを含み、基地局は、必要に応じて関連する操作を実行できるが、端末側が仮定を行わず、前記ＯＦＤＭシンボル上でデータを送受信できない。
【００７２】
前記ｅｍｐｔｙ 領域は、１つ以上のＯＦＤＭシンボルを含み、前記シンボル上でデータが送信されない。
【００７３】
１つのｓｌｏｔにおいて、上記の領域の少なくとも１つが存在する。
【００７４】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記ダウンリンク領域の前、ダウンリンク領域の後にある。
【００７５】
実施中、基地局は、ｇｒｏｕｐ ｃｏｍｍｏｎ ＰＤＣＣＨにより、前記端末に示す。
【００７６】
実施中、前記ｇｒｏｕｐ ｃｏｍｍｏｎ ＰＤＣＣＨは、端末のグループに対して有効なＰＤＣＣＨである。
【００７７】
具体的には、基地局は、ｇｒｏｕｐ ｃｏｍｍｏｎ ＰＤＣＣＨ（グループ共通ＰＤＣＣＨ，ＰＤＣＣＨ：physical downlink control channel，物理ダウンリンク制御チャネル）により、１つ以上のｓｌｏｔの構成を示す。
【００７８】
前記ｇｒｏｕｐ ｃｏｍｍｏｎ ＰＤＣＣＨは、端末のグループに対して有効なＰＤＣＣＨである。つまり、特定のＵＥのみが前記ｇｒｏｕｐ ｃｏｍｍｏｎ ＰＤＣＣＨ。
【００７９】
実施中、ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知され、および
ｇｒｏｕｐ ｃｏｍｍｏｎ ＰＤＣＣＨは、前記Ｎ個のｓｌｏｔのｓｔｒｕｃｔｕｒｅを示すためのｓｌｏｔ ｆｏｒｍａｔ指示フィールド１つを含む。
【００８０】
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含む。
【００８１】
具体的には、前記ｇｒｏｕｐ ｃｏｍｍｏｎ ＰＤＣＣＨが複数のｓｌｏｔの構成を示すとき、ｇｒｏｕｐ ｃｏｍｍｏｎ ＰＤＣＣＨによって示される複数のｓｌｏｔの数Ｎは高位層シグナリングにより通知される。
【００８２】
前記ｇｒｏｕｐ ｃｏｍｍｏｎ ＰＤＣＣＨは、前記Ｎ個のｓｌｏｔのｓｔｒｕｃｔｕｒｅを示すためのｓｌｏｔ ｆｏｒｍａｔ指示フィールド１つを含む。
【００８３】
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含む。
【００８４】
実施中、ｇｒｏｕｐ ｃｏｍｍｏｎ ＰＤＣＣＨ内のｓｌｏｔ ｆｏｒｍａｔ指示フィールドによりｕｎｋｎｏｗｎ領域として示される。
【００８５】
実施中、基地局は、前記ｓｌｏｔのダウンリンク領域で送信されるＤＣＩにより、同じまたは異なるｓｌｏｔのｕｎｋｎｏｗｎ領域で送信されるデータをスケジュールし、前記データはアップリンクおよび/またはダウンリンクデータである。
【００８６】
具体的には、前記ｇｒｏｕｐ ｃｏｍｍｏｎ ＰＤＣＣＨ内のｓｌｏｔ ｆｏｒｍａｔ（スロットフォーマット）指示フィールドによりｕｎｋｎｏｗｎ領域として示される。
【００８７】
基地局は、前記ｓｌｏｔのダウンリンク領域で送信されるＤＣＩ（Ｄｏｗｎｌｉｎｋ Ｃｏｎｔｒｏｌ Ｉｎｄｉｃａｔｏｒ，ダウンリンク制御インジケータ）により、同じまたは異なるスロットの未知の領域で送信されるデータをスケジュールする。前記データはアップリンクおよび/またはダウンリンクデータである。具体的には、ｇｒｏｕｐ ｃｏｍｍｏｎ ＰＤＣＣＨは、ｓｌｏｔ  ｎ、ｓｌｏｔ  ｎ + １、...、およびｓｌｏｔ  Ｎのｓｌｏｔ  ｆｏｒｍａｔを示し、基地局は、ＤＣＩによりｓｌｏｔの未知の部分で送信されるデータをスケジュールすることができる。
【００８８】
実施中、ｓｌｏｔの構成が複数の可能な組み合わせを含むとき、基地局は、動的通知が必要とするＭ種類のｓｌｏｔ構成を高位層シグナリングにより端末に通知し、前記Ｍは自然数である。たとえば、Ｍ種類の可能な組み合わせがある場合、動的通知が必要とするｓｌｏｔ構成は、ｓｌｏｔ構成１、ｓｌｏｔ構成２、ｓｌｏｔ構成３、…、ｓｌｏｔ構成Ｎである。このようなｓｌｏｔ構成を通知し、前記ＭはＮより大きい。
【００８９】
実施中、基地局は、さらに、ｇｒｏｕｐ ｃｏｍｍｏｎ ＰＤＣＣＨにより、ｃｅｉｌ(ｌｏｇ２(Ｍ))ｂｉｔが含まれる指示情報を送信し、１つ以上のｓｌｏｔの構成を端末に示す。
【００９０】
実施中、基地局は、さらに、動的に示される必要があるＭ種類のｓｌｏｔ構成を高位層シグナリングにより通知するとき、各種類のｓｌｏｔ構成に含まれる領域および各種類の領域に含まれるＯＦＤＭシンボルの数を示す。
【００９１】
実施中、基地局が半静的な方式でｓｌｏｔの構成を端末に示すとき、高位層シグナリングによりＮｍｓ内の各ｓｌｏｔのアップリンクおよびダウンリンク構成を構成し、前記Ｎは０より大きい正の整数である。
【００９２】
具体的には、１０ｍｓ内のアップリンクおよびダウンリンク構成は、高位層シグナリングによりを構成され、ＴＤ−ＬＴＥ内のフレーム構成が含まれる。
【００９３】
特定の実施において、ＴＤ−ＬＴＥに含まれるフレーム構成は、以下の表２に示されるとおりである。
【００９４】
【表２】
2020524965.tif 000004
【００９５】
ここで、Ｄはダウンリンクを表し、ＳはＤＬ、ＵＬまたはＧＰを表し、Ｕはアップリンクを表す。
【００９６】
具体的には、基地局は、は、一定時間内に半静的な方式でｓｌｏｔ構成を構成する。基地局は高位層シグナリングにより、１０ｍｓ内のアップリンクおよびダウンリンク構成を構成し、ＴＤ−ＬＴＥ内のフレーム構成が少なくとも含まれ、表２に示されるとおりである。
【００９７】
端末側での実施は、基地局側での実施に対応するため、端末側での実施は、基地局側での実施の説明を参照できることを理解されたい。
【００９８】
具体的には、端末は、事前定義された時間間隔または基地局によって通知された時間間隔に従ってｇｒｏｕｐ ｃｏｍｍｏｎ ＰＤＣＣＨを検出および受信する。
【００９９】
端末は、ｇｒｏｕｐ ｃｏｍｍｏｎ ＰＤＣＣＨ中で通知されたｓｌｏｔ構成指示情報に従って、１つ以上のｓｌｏｔの構成を決定する。
【０１００】
端末は、アップリンク領域として示されるＯＦＤＭシンボル上でアップリンクデータを送信し、ダウンリンク領域として示されるＯＦＤＭシンボル上でダウンリンクデータを受信する。端末は、基地局によって送信される他の指示情報を受信する前に、未知の領域として示されるＯＦＤＭシンボルに関する仮定を一切行わず、ｅｍｐｔｙ領域として示されるＯＦＤＭシンボルに関するデータ送信はないとみなされる。
【０１０１】
さらに、端末は、高位層シグナリングによって構成されたｇｒｏｕｐ ｃｏｍｍｏｎ ＰＤＣＣＨによって運ばれるｓｌｏｔ構成指示情報のＮｓｌｏｔ  などの有効時間または期間を受信し、それによって前記Ｎ個のｓｌｏｔの構成を決定する。
【０１０２】
または、端末は、基地局によって送信された半静的な構成に従ってｓｌｏｔの構成を決定する。
【０１０３】
端末は、基地局によって送信されたＲＲＣ ｓｉｇｎａｌｉｎｇ（ＲＲＣシグナリング，ＲＲＣ：Ｒａｄｉｏ Ｒｅｓｏｕｒｃｅ Ｃｏｎｔｒｏｌ，無線リソース制御）で運ばれる構成情報に従って、１０ｍｓごとのｓｌｏｔの構成情報など、一定期間内のｓｌｏｔの構成情報を決定する。
【０１０４】
以下に説明する。
【０１０５】
図４は、端末側でのスロットの構成を決定するための方法の実施フローチャートであり、図に示すように、当該方法は以下のステップを備える。 
【０１０６】
ステップ４０１において、基地局から前記端末に動的または半静的な方式で示されるｓｌｏｔの構成を受信する。
【０１０７】
ステップ４０２において、端末は、示されたｓｌｏｔ構成に従って、１つ以上のｓｌｏｔの構成を決定する。
【０１０８】
実施中、ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上のＯＦＤＭシンボルを含む。
【０１０９】
ここで、
前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され領域であり、
ガード期間（ｇｕａｒｄ ｐｅｒｉｏｄ）領域は、基地局側によって提供されるダウンリンクからアップリンクへの変換用の領域である。
【０１１０】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記ダウンリンク領域の前、ダウンリンク領域の後にある。
【０１１１】
実施中、基地局は、ｇｒｏｕｐ ｃｏｍｍｏｎ ＰＤＣＣＨにより、前記端末に示す。
【０１１２】
実施中、前記ｇｒｏｕｐ ｃｏｍｍｏｎ ＰＤＣＣＨは、端末のグループに対して有効なＰＤＣＣＨである。
【０１１３】
実施中、ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知される。および、ｇｒｏｕｐ ｃｏｍｍｏｎ ＰＤＣＣＨは、前記Ｎ個のｓｌｏｔのｓｔｒｕｃｔｕｒｅを示すためのｓｌｏｔ ｆｏｒｍａｔ指示フィールド１つを含む。
【０１１４】
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含む。
【０１１５】
実施中、基地局は、前記ｓｌｏｔのダウンリンク領域で送信されるＤＣＩにより同じまたは異なるｓｌｏｔ内のｕｎｋｎｏｗｎ領域で送信されるデータをスケジュールし、前記データはアップリンクおよび/またはダウンリンクデータである。
【０１１６】
実施中、ｓｌｏｔの構成が複数の可能な組み合わせを含むとき、端末は、基地局によって高位層シグナリングを通じて送信された通知に従って、動的通知が必要とするＭ種類のｓｌｏｔ構成を取得し、前記Ｍは自然数である。
【０１１７】
実施中、基地局はｇｒｏｕｐ ｃｏｍｍｏｎ ＰＤＣＣＨを通じてｃｅｉｌ(ｌｏｇ２(Ｍ))ｂｉｔが含まれる指示情報を送信し、１つ以上のｓｌｏｔの構成を端末に通知する。
【０１１８】
実施中、基地局が高位層シグナリングにより動的に示される必要があるＭ種類のｓｌｏｔ構成を通知するとき、各種類のｓｌｏｔ構成に含まれる領域および各種類の領域に含まれるＯＦＤＭシンボルの数を通知する。
【０１１９】
実施中、基地局が半静的な方式でｓｌｏｔの構成を端末に示すとき、高位層シグナリングによりＮｍｓ内の各ｓｌｏｔのアップリンクおよびダウンリンク構成を構成し、前記Ｎは０より大きい正の整数である。
【０１２０】
具体的には、高位層シグナリングにより１０ｍｓ内のアップリンクおよびダウンリンク構成を構成し、ＴＤ−ＬＴＥ内のフレーム構成が含まれる。
【０１２１】
実施中、ＴＤ−ＬＴＥに含まれるフレーム構成は以下のとおりである
【０１２２】
【表３】
2020524965.tif 000005
【０１２３】
ここで、Ｄはダウンリンクを表し、ＳはＤＬ、ＵＬまたはＧＰを表し、Ｕはアップリンクを表す。
【０１２４】
実施例により以下に説明する。
【０１２５】
第１の実施形態：
ｓｌｏｔ内の可能な領域は、アップリンク領域、ダウンリンク領域、ｕｎｋｎｏｗｎ領域、ｅｍｐｔｙ領域、ＧＰ領域などを含むと想定される。基地局はｇｒｏｕｐ ｃｏｍｍｏｎ ＰＤＣＣＨによって運ばれるｓｌｏｔの構成指示情報を通じて、１つ以上のｓｌｏｔの構成情報を通知する。前記ｓｌｏｔは、上記領域の任意の組み合わせを含むことができ、上記領域の少なくとも１つを含む。
【０１２６】
たとえば、ｓｌｏｔ  はアップリンク領域のみを含むか、ｓｌｏｔはダウンリンク領域のみを含むか、ｓｌｏｔは未知の領域のみを含むか、ｓｌｏｔはｅｍｐｔｙ領域のみを含むか、ｓｌｏｔは、ＧＰ領域のみを含む。ｓｌｏｔが特定の領域を含む場合、対応する領域は少なくとも１つのＯＦＤＭシンボルを含む。ｓｌｏｔにダウンリンク領域とアップリンク領域の両方が含まれる場合、ダウンリンク領域はアップリンク領域の前に配置される。
【０１２７】
ｓｌｏｔがｕｎｋｎｏｗｎ領域を含む場合、ｕｎｋｎｏｗｎ領域の位置は以下の通りであることに留意されたい。
【０１２８】
ｓｌｏｔがｕｎｋｎｏｗｎ領域およびダウンリンク領域のみを含むとき、ｕｎｋｎｏｗｎ領域は、ダウンリンク領域の後にのみ存在する。
【０１２９】
ｓｌｏｔがｕｎｋｎｏｗｎ領域およびアップリンク領域を含むとき、ｕｎｋｎｏｗｎ領域は、アップリンク領域の前またはアップリンク領域の後ろに位置してもよい。
【０１３０】
ｓｌｏｔがｕｎｋｎｏｗｎ領域、アップリンク領域およびダウンリンク領域を含むとき、ｕｎｋｎｏｗｎ領域は、ダウンリンク領域の後ろ、アップリンク領域の前に位置してもよい。
【０１３１】
アップリンク領域はアップリンクデータのみを送信し、ダウンリンク領域はダウンリンクデータのみを送信し、ｅｍｐｔｙ領域はデータを送信せず、未知の領域では、端末は、対応する明示的なシグナリングを受信する前、前記領域のデータ送信に関する仮定を行わない。
【０１３２】
基地局はｇｒｏｕｐ ｃｏｍｍｏｎ ＰＤＣＣＨで運ばれる指示情報に従って、以下の方式でｓｌｏｔに含まれる領域種類を決定する。
【０１３３】
前記指示情報は、ｓｌｏｔに含まれる領域種類および各領域種類の持続時間、すなわち占有されたＯＦＤＭシンボルの数を示す。たとえば、１つのｓｌｏｔには７つのＯＦＤＭシンボルが含まれ、各領域タイプは３ビット情報で示される必要がある。ｓｌｏｔ  には５つの領域種類があり、１５ビットでｓｌｏｔの種類を示す必要があると想定されている。
【０１３４】
または、以下の表に示すように、可能なＭ個のｓｌｏｔ種類がプロトコールに規定されている。システムでサポートされるｓｌｏｔ種類は７つあり、示すには３ビットが必要であると想定されている。対応する指示ビットフィールドは、以下の表３に示すとおりである。
【０１３５】
または、ｓｌｏｔの構成が複数の可能な組み合わせを含むとき、基地局は高位層シグナリングにより、動的に示される必要があるｓｌｏｔ種類を半静的に構成する。たとえば、基地局は高位層シグナリングにより、動的に示される必要があるｓｌｏｔ種類Ｎ種類を半静的に構成する。本実施形態ではＮ=７であると仮定し、それぞれＳ１、Ｓ２、Ｓ３、Ｓ４、Ｓ５、Ｓ６およびＳ７である。さらに、基地局は、各ｓｌｏｔ種類に含まれる領域種類と、その領域種類が占めるＯＦＤＭシンボルの数を示す必要がある。以下の表４に示すように、１つのｓｌｏｔに７つのＯＦＤＭシンボルが含まれると想定されている。Ｓ１にはすべてダウンリンクが含まれ、Ｓ２にはすべてアップリンクが含まれ、Ｓ３には３種の領域種類（４つのＤＬ、１つのｕｎｋｎｏｗｎ、２つのＵＬ）が含まれる。Ｓ４には３種の領域種類（５つのＤＬ、１つのｕｎｋｎｏｗｎ、１つのＵＬ）が含まれる。Ｓ５には３種の領域種類（２つのＤＬ、３つのｕｎｋｎｏｗｎ、２つのＵＬ）が含まれる。Ｓ６には２種の領域種類（４つのＤＬと３つのｕｎｋｎｏｗｎ）が含まれる。Ｓ７には２種の領域種類（３つのｕｎｋｎｏｗｎと４つのＵＬ）が含まれる。
【０１３６】
基地局は、ｇｒｏｕｐ ｃｏｍｍｏｎ ＰＤＣＣＨで運ばれる指示情報により、上記の構成の１つとしてｓｌｏｔの構成をさらに動的に示す。たとえば、ｓｌｏｔの構成は、特に表４に示すように、ｃｅｉｌ(ｌｏｇ２(Ｍ))＝ ｃｅｉｌ(ｌｏｇ２(７))＝３ｂｉｔにより示される。
【０１３７】
【表４】
2020524965.tif 000006
【０１３８】
【表５】
2020524965.tif 000007
【０１３９】
端末は、対応するｓｌｏｔの構成指示情報を受信した後、前記指示情報によって示されたｓｌｏｔの構成に従ってデータを受信または送信する。
【０１４０】
第２の実施形態：
基地局は、ｇｒｏｕｐ ｃｏｍｍｏｎ ＰＤＣＣＨによって通知されたｓｌｏｔの構成指示情報の有効時間を、高位層シグナリングにより構成する。高位層シグナリングにより構成された有効時間にＮ個のｓｌｏｔ  が含まれる場合、端末は、ｇｒｏｕｐ ｃｏｍｍｏｎ ＰＤＣＣＨによって示されるｓｌｏｔ構成指示情報を受信して、後続のＮ個のｓｌｏｔの構成が指示情報によって示されたｓｌｏｔ構成と同じであるとみなす。
【０１４１】
または、ｇｒｏｕｐ ｃｏｍｍｏｎ ＰＤＣＣＨによって示されるｓｌｏｔ構成指示情報の有効時間は、ｇｒｏｕｐ ｃｏｍｍｏｎ ＰＤＣＣＨを正しく受信する次の時間より前である。
【０１４２】
第３の実施形態：
ｇｒｏｕｐ ｃｏｍｍｏｎ ＰＤＣＣＨは、Ｎ個のｓｌｏｔの構成情報を示す必要がある。具体的には、ｇｒｏｕｐ ｃｏｍｍｏｎ ＰＤＣＣＨは、Ｎ個のｓｌｏｔの構成情報をそれぞれ示すＮ個の指示情報フィールドを含む。たとえば、各ｓｌｏｔの構成情報を示すために３ビット情報が必要な場合、ｇｒｏｕｐ ｃｏｍｍｏｎ ＰＤＣＣＨは３ * Ｎビット情報を運ぶ必要がある。
【０１４３】
第４の実施形態：
第１の実施形態〜第３の実施形態で説明したように、ｇｒｏｕｐ ｃｏｍｍｏｎ ＰＤＣＣＨは、複数のｓｌｏｔの構成情報を示す。
【０１４４】
たとえば、図５は第４の実施形態によるｓｌｏｔ構成情報の概略図である。図に示すように、ｓｌｏｔ nで送信されるｇｒｏｕｐ ｃｏｍｍｏｎ ＰＤＣＣＨは、ｓｌｏｔ ｎ、ｓｌｏｔ ｎ+１、…、ｓｌｏｔ Ｎのｓｌｏｔ構成情報を示す。すなわち、端末は、ｓｌｏｔ ｎでｇｒｏｕｐ ｃｏｍｍｏｎ ＰＤＣＣＨにより運ばれるｓｌｏｔ構成指示情報を受信する。前記構成指示情報は、ｓｌｏｔ ｎ、ｓｌｏｔ ｎ+１、…，ｓｌｏｔ Ｎのｓｌｏｔ構成にｕｎｋｎｏｗｎ領域が含まれることを示す。基地局は、端末のデータ送信をスケジュールするために使用され、他のＰＤＣＣＨで送信されるＤＣＩにより、前記ｕｎｋｎｏｗでデータを送信するように端末をスケジュールしてもよい。端末は、明示的な指示シグナリングを受信する前に、未知の領域を仮定しない。
【０１４５】
第５の実施形態：
基地局は高位層シグナリング（たとえば、ＲＲＣ ｓｉｇｎａｌｉｎｇ）によりＭ種類のｓｌｏｔの構成の組み合わせを構成する。前記Ｍ種類のｓｌｏｔの構成の各組み合わせには、Ｎ個のｓｌｏｔが含まれる。Ｎは１以上の正の整数であり、Ｍは１以上の正の整数である。基地局は、ｇｒｏｕｐ ｃｏｍｍｏｎ ＰＤＣＣＨによりｃｅｉｌ(ｌｏｇ２(Ｍ))ｂｉｔの指示情報を送信する。前記指示情報は、高位層シグナリングによって通知されたＭ種類のｓｌｏｔの組み合わせの１つを示す。前記ｓｌｏｔの組み合わせには、少なくとも１つのｓｌｏｔが含まれる。ｓｌｏｔの組み合わせの各ｓｌｏｔの構成は、この特許では限定されず、基地局の構成に依存する。
【０１４６】
第６の実施形態：
基地局は高位層シグナリングにより、ｓｌｏｔの構成を構成する。考えられるシーンの１つは、ＮＲ（ｎｅｗ ｒａｄｉｏ ａｃｃｅｓｓ ｔｅｃｈｎｏｌｏｇｙ，新しい無線アクセス技術）がＴＤ ＬＴＥ（ＴＤ−ＳＣＤＭＡ Ｌｏｎｇ Ｔｅｒｍ Ｅｖｏｌｕｔｉｏｎ，ＴＤ−ＳＣＤＭＡロングタームエボリューション、ＴＤ−ＳＣＤＭＡ：Ｔｉｍｅ Ｄｉｖｉｓｉｏｎ Ｓｙｎｃｈｒｏｎｉｚｅｄ Ｃｏｄｅ Ｄｉｖｉｓｉｏｎ Ｍｕｌｔｉｐｌｅ Ａｃｃｅｓｓ，時分割同期コード分割多元接続）バンドで送信されることである。ＴＤ ＬＴＥシステムとの共存を実現するために、基地局は、ＴＤ ＬＴＥの高位層によって構成されたサブフレーム構成と一貫したｓｌｏｔの構成を、高位層シグナリングにより構成することにより、クロスｓｌｏｔ干渉を回避する。
【０１４７】
以下の表５に示されるように、ＴＤＤシステムには７つの無線フレーム構成がある。システムで特に使用されるアップリンク-ダウンリンク構成は、高位層シグナリングにより構成されるか、ＤＣＩ  ｆｏｒｍａｔ  １Ｃにより通知される。ＴＤ ＬＴＥシステムとの共存を実現するために、ＮＲ基地局は、高位層シグナリングを通じて、次の７つの構成と一致するようにｓｌｏｔの構成を構成する。特定の例では、ＴＤ ＬＴＥシステムは、システムで使用されるアップリンク-ダウンリンク構成を高位層シグナリングを通じてｃｏｎｆｉｇｕｒａｔｉｏｎ＃０として構成し、ＮＲ基地局は１０ｍｓごとに以下のようにｓｌｏｔの構成を構成する。
【０１４８】
ｓｌｏｔの長さが７個のＯＦＤＭシンボルを含む場合、１０ｍｓに含まれる２０個のｓｌｏｔの構成は（ＤＤＳＳＵＵＵＵＵＵＵＤＤＳＳＵＵＵＵＵＵ）であり、ＳはＴＤＤシステムで使用される特別なサブフレーム（ｓｐｅｃｉａｌ ｓｕｂｆｒａｍｅ）の構成に従って特別に構成される。
【０１４９】
ｓｌｏｔの長さが１４個のＯＦＤＭシンボルを含む場合、１０ｍｓに含まれる１０個のｓｌｏｔの構成は（ＤＳＵＵＵ ＤＳＵＵＵ）であり、Ｓは、ＴＤＤシステムで使用される特別なサブフレームの構成に従って特に構成される。
【０１５０】
【表６】
2020524965.tif 000008
【０１５１】
同様な発明思想に基づき、本発明の実施形態は、スロットの構成を示すための装置、スロットの構成を決定するための装置をさらに提供する。問題を解決するためのこれらの装置の原理は、スロットの構成を示すための方法、スロットの構成を決定するための方法の原理に類似しているため、これらの装置の実施は方法の実施を参照し、これ以上繰り返される詳細な説明はしない。
【０１５２】
図６は、基地局側でのスロットの構成を示すための装置構成の概略図であり、図に示すように、当該装置は、
基地局において、ｓｌｏｔの構成を決定するように構成された構成決定モジュール６０１と、
基地局において、動的または半静的な方式でｓｌｏｔの構成を端末に示すように構成された指示モジュール６０２と、を備える。
【０１５３】
実施中、ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上のＯＦＤＭシンボルを含む。
【０１５４】
ここで、
前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され領域であり、
ガード期間（ｇｕａｒｄ ｐｅｒｉｏｄ）領域は、基地局側によって提供されるダウンリンクからアップリンクへの変換用の領域である。
【０１５５】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記ダウンリンク領域の前、ダウンリンク領域の後にある。
【０１５６】
実施中、指示モジュールは、ｇｒｏｕｐ ｃｏｍｍｏｎ ＰＤＣＣＨにより、前記スロットの構成を端末に示す。
【０１５７】
実施中、前記ｇｒｏｕｐ ｃｏｍｍｏｎ ＰＤＣＣＨは、端末のグループに対して有効なＰＤＣＣＨである。
【０１５８】
実施中、指示モジュールは、さらに、ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知され、および
ｇｒｏｕｐ ｃｏｍｍｏｎ ＰＤＣＣＨは、前記Ｎ個のｓｌｏｔのｓｔｒｕｃｔｕｒｅを示すためのｓｌｏｔ ｆｏｒｍａｔ指示フィールド１つを含み、
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含む。
【０１５９】
実施中、ｇｒｏｕｐ ｃｏｍｍｏｎ ＰＤＣＣＨ内のｓｌｏｔ ｆｏｒｍａｔ指示フィールドによりｕｎｋｎｏｗｎ領域として示される。
【０１６０】
実施中、指示モジュールは、さらに、前記ｓｌｏｔのダウンリンク領域で送信されるＤＣＩにより、同じまたは異なるｓｌｏｔ内のｕｎｋｎｏｗｎ領域で送信されるデータをスケジュールし、前記データはアップリンクおよび/またはダウンリンクデータである。
【０１６１】
実施中、前記指示モジュールは、さらに、ｓｌｏｔの構成が複数の可能な組み合わせを含むとき、動的通知が必要とするＭ種類のｓｌｏｔ構成を高位層シグナリングにより端末に通知し、前記Ｍは自然数である。
【０１６２】
実施中、前記指示モジュールは、さらに、ｇｒｏｕｐ ｃｏｍｍｏｎ ＰＤＣＣＨにより、ｃｅｉｌ(ｌｏｇ２(Ｍ))ｂｉｔが含まれる指示情報を送信し、１つ以上のｓｌｏｔの構成を端末に通知する。
【０１６３】
実施中、前記指示モジュールは、さらに、動的に示される必要があるＭ種類のｓｌｏｔ構成を高位層シグナリングにより通知するとき、各種類のｓｌｏｔ構成に含まれる領域および各種類の領域に含まれるＯＦＤＭシンボルの数を通知する。
【０１６４】
実施中、指示モジュールは、さらに、半静的な方式でｓｌｏｔの構成を端末に示すとき、高位層シグナリングによりＮｍｓ内の各ｓｌｏｔのアップリンクおよびダウンリンク構成を構成し、前記Ｎは０より大きい正の整数である。
【０１６５】
図７は端末側でのスロットの構成を決定するための装置構成の概略図であり、図に示すように、当該装置は、 
基地局から前記端末に動的または半静的な方式で示されるｓｌｏｔの構成を受信するように構成された受信モジュール７０１と、
端末は、示されたｓｌｏｔ構成に従って、１つ以上のｓｌｏｔの構成を決定するように構成されたｓｌｏｔ決定モジュール７０２と、を備える。
【０１６６】
実施中、ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上のＯＦＤＭシンボルを含む。
【０１６７】
ここで、
前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され領域であり、
ガード期間（ｇｕａｒｄ ｐｅｒｉｏｄ）領域は、基地局側によって提供されるダウンリンクからアップリンクへの変換用の領域である。
【０１６８】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記ダウンリンク領域の前、ダウンリンク領域の後にある。
【０１６９】
実施中、受信モジュールは、さらに、ｇｒｏｕｐ ｃｏｍｍｏｎ ＰＤＣＣＨを通じて基地局から端末に送信された指示を受信する。
【０１７０】
実施中、前記ｇｒｏｕｐ ｃｏｍｍｏｎ ＰＤＣＣＨは、端末のグループに対して有効なＰＤＣＣＨである。
【０１７１】
実施中、ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知され、および
ｇｒｏｕｐ ｃｏｍｍｏｎ ＰＤＣＣＨは、前記Ｎ個のｓｌｏｔのｓｔｒｕｃｔｕｒｅを示すためのｓｌｏｔ ｆｏｒｍａｔ指示フィールド１つを含み、
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含む。
【０１７２】
実施中、ｇｒｏｕｐ ｃｏｍｍｏｎ ＰＤＣＣＨ内のｓｌｏｔ ｆｏｒｍａｔ指示フィールドによりｕｎｋｎｏｗｎ領域として示される。
【０１７３】
実施中、基地局は、前記ｓｌｏｔのダウンリンク領域で送信されるＤＣＩにより同じまたは異なるｓｌｏｔ内のｕｎｋｎｏｗｎ領域で送信されるデータをスケジュールし、前記データはアップリンクおよび/またはダウンリンクデータである。
【０１７４】
実施中、ｓｌｏｔ決定モジュールは、さらに、ｓｌｏｔの構成が複数の可能な組み合わせを含むとき、基地局によって高位層シグナリングを通じて送信された通知に従って、動的通知が必要とするＭ種類のｓｌｏｔ構成を取得し、前記Ｍは自然数である。
【０１７５】
実施中、基地局はｇｒｏｕｐ ｃｏｍｍｏｎ ＰＤＣＣＨを通じてｃｅｉｌ(ｌｏｇ２(Ｍ))ｂｉｔが含まれる指示情報を送信し、１つ以上のｓｌｏｔの構成を端末に通知する。
【０１７６】
実施中、基地局が高位層シグナリングにより動的に示される必要があるＭ種類のｓｌｏｔ構成を通知するとき、各種類のｓｌｏｔ構成に含まれる領域および各種類の領域に含まれるＯＦＤＭシンボルの数を通知する。
【０１７７】
実施中、受信モジュールは、さらに、基地局によって半静的な方式で前記端末に示されたｓｌｏｔの構成を受信するとき、高位層シグナリングによりＮｍｓ内の各ｓｌｏｔのアップリンクおよびダウンリンク構成を構成し、前記Ｎは０より大きい正の整数である。
【０１７８】
説明の便宜上、上述の装置の様々な部分は、機能に関して様々なモジュールまたはユニットに分割された後に説明される。当然ながら、様々なモジュールまたはユニットの機能は、本開示の実施中にソフトウェアまたはハードウェアの１つまたは複数の部分で実施され得る。
【０１７９】
本発明の実施形態によって提供される技術的解決策は、以下のモードによって実施され得る。
【０１８０】
図８は基地局構成の概略図であり、図に示すように、基地局は、
メモリ８２０内のプログラムを読み取り、次のプロセスを実行するように構成されたプロセッサ８００と、
プロセッサ８００の制御下でデータを送受信し、次のプロセスを実行するように構成された送受信機８１０と、を備える。
【０１８１】
前記プロセッサ８００は、ｓｌｏｔの構成を決定する。
【０１８２】
前記送受信機８１０は、動的または半静的な方式でｓｌｏｔの構成を端末に示す。
【０１８３】
実施中、ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上のＯＦＤＭシンボルを含む。
【０１８４】
ここで、
前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され領域であり、
ガード期間（ｇｕａｒｄ ｐｅｒｉｏｄ）領域は、基地局側によって提供されるダウンリンクからアップリンクへの変換用の領域である。
【０１８５】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記ダウンリンク領域の前、ダウンリンク領域の後にある。
【０１８６】
実施中、基地局は、ｇｒｏｕｐ ｃｏｍｍｏｎ ＰＤＣＣＨにより、前記端末に示す。
【０１８７】
実施中、前記ｇｒｏｕｐ ｃｏｍｍｏｎ ＰＤＣＣＨは、端末のグループに対して有効なＰＤＣＣＨである。
【０１８８】
実施中、ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知され、および
ｇｒｏｕｐ ｃｏｍｍｏｎ ＰＤＣＣＨは、前記Ｎ個のｓｌｏｔのｓｔｒｕｃｔｕｒｅを示すためのｓｌｏｔ ｆｏｒｍａｔ指示フィールド１つを含み、
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含む。
【０１８９】
実施中、ｇｒｏｕｐ ｃｏｍｍｏｎ ＰＤＣＣＨ内のｓｌｏｔ ｆｏｒｍａｔ指示フィールドによりｕｎｋｎｏｗｎ領域として示される。
【０１９０】
実施中、基地局は、前記ｓｌｏｔのダウンリンク領域で送信されるＤＣＩにより同じまたは異なるｓｌｏｔ内のｕｎｋｎｏｗｎ領域で送信されるデータをスケジュールし、前記データはアップリンクおよび/またはダウンリンクデータである。
【０１９１】
実施中、ｓｌｏｔの構成が複数の可能な組み合わせを含むとき、基地局は高位層シグナリングにより、動的通知が必要とするＭ種類のｓｌｏｔ構成を端末に通知し、前記Ｍは自然数である。
【０１９２】
実施中、基地局はｇｒｏｕｐ ｃｏｍｍｏｎ ＰＤＣＣＨを通じてｃｅｉｌ(ｌｏｇ２(Ｍ))ｂｉｔが含まれる指示情報を送信し、１つ以上のｓｌｏｔの構成を端末に通知する。
【０１９３】
実施中、基地局が高位層シグナリングにより動的に示される必要があるＭ種類のｓｌｏｔ構成を通知するとき、各種類のｓｌｏｔ構成に含まれる領域および各種類の領域に含まれるＯＦＤＭシンボルの数を通知する。
【０１９４】
実施中、基地局が半静的な方式でｓｌｏｔの構成を端末に示すとき、高位層シグナリングによりＮｍｓ内の各ｓｌｏｔのアップリンクおよびダウンリンク構成を構成し、前記Ｎは０より大きい正の整数である。
【０１９５】
ここで、図８において、バスアーキテクチャは、いずれ数の相互接続するバス及びブリッジを備える。具体的に、プロセッサ８００が代表となる１つまたは複数のプロセッサ及びメモリ８２０が代表となるメモリの多様な回路により接続される。バスアーキテクチャは、外部設備、電圧レギュレータ及び電力管理回路などの他の回路を接続することもできる。これらは、当該分野の周知技術であるため、本発明において、詳細に説明しない。バスインターフェースはインターフェースを提供する。送受信機８１０は、複数の部品であることができ、即ち、送信機及び受信機を備え、伝送媒体を介して他の装置と通信するユニットを提供する。プロセッサ８００は、バスアーキテクチャ及び通常の処理を管理し、メモリ８２０は、プロセッサ８００が動作する際に利用するデータを記憶することができる。
【０１９６】
図９は端末構成の概略図であり、図に示すように、端末は、
プロセッサ９００の制御下でデータを送受信し、次のプロセスを実行するように構成された送受信機９１０と、
メモリ９２０内のプログラムを読み取り、次のプロセスを実行するように構成されたプロセッサ９００と、を備える。
【０１９７】
前記送受信機９１０は、基地局から前記端末に動的または半静的な方式で示されるｓｌｏｔの構成を受信する。
【０１９８】
前記プロセッサ９００は、示されたｓｌｏｔ構成に従って、１つ以上のｓｌｏｔの構成を決定する。
【０１９９】
実施中、ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上のＯＦＤＭシンボルを含む。
【０２００】
ここで、
前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され領域であり、
ガード期間（ｇｕａｒｄ ｐｅｒｉｏｄ）領域は、基地局側によって提供されるダウンリンクからアップリンクへの変換用の領域である。
【０２０１】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記ダウンリンク領域の前、ダウンリンク領域の後にある。
【０２０２】
実施中、基地局は、ｇｒｏｕｐ ｃｏｍｍｏｎ ＰＤＣＣＨにより、前記端末に示す。
実施中、前記ｇｒｏｕｐ ｃｏｍｍｏｎ ＰＤＣＣＨは、端末のグループに対して有効なＰＤＣＣＨである。
【０２０３】
実施中、ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知され、および
ｇｒｏｕｐ ｃｏｍｍｏｎ ＰＤＣＣＨは、前記Ｎ個のｓｌｏｔのｓｔｒｕｃｔｕｒｅを示すためのｓｌｏｔ ｆｏｒｍａｔ指示フィールド１つを含み、
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含む。
【０２０４】
実施中、ｇｒｏｕｐ ｃｏｍｍｏｎ ＰＤＣＣＨ内のｓｌｏｔ ｆｏｒｍａｔ指示フィールドによりｕｎｋｎｏｗｎ領域として示される。
【０２０５】
実施中、基地局は、前記ｓｌｏｔのダウンリンク領域で送信されるＤＣＩにより同じまたは異なるｓｌｏｔ内のｕｎｋｎｏｗｎ領域で送信されるデータをスケジュールし、前記データはアップリンクおよび/またはダウンリンクデータである。
【０２０６】
実施中、ｓｌｏｔの構成が複数の可能な組み合わせを含むとき、端末は、基地局によって高位層シグナリングを通じて送信された通知に従って、動的通知が必要とするＭ種類のｓｌｏｔ構成を取得し、前記Ｍは自然数である。
【０２０７】
実施中、基地局はｇｒｏｕｐ ｃｏｍｍｏｎ ＰＤＣＣＨを通じてｃｅｉｌ(ｌｏｇ２(Ｍ))ｂｉｔが含まれる指示情報を送信し、１つ以上のｓｌｏｔの構成を端末に通知する。
【０２０８】
実施中、基地局が高位層シグナリングにより動的に示される必要があるＭ種類のｓｌｏｔ構成を通知するとき、各種類のｓｌｏｔ構成に含まれる領域および各種類の領域に含まれるＯＦＤＭシンボルの数を通知する。
【０２０９】
実施中、基地局が半静的な方式でｓｌｏｔの構成を端末に示すとき、高位層シグナリングによりＮｍｓ内の各ｓｌｏｔのアップリンクおよびダウンリンク構成を構成し、前記Ｎは０より大きい正の整数である。
【０２１０】
ここで、図９において、バスアーキテクチャは、いずれ数の相互接続するバス及びブリッジを備える。具体的に、プロセッサ９００が代表となる１つまたは複数のプロセッサ及びメモリ９２０が代表となるメモリの多様な回路により接続される。バスアーキテクチャは、外部設備、電圧レギュレータ及び電力管理回路などの他の回路を接続することもできる。これらは、当該分野の周知技術であるため、本発明において、詳細に説明しない。バスインターフェースはインターフェースを提供する。送受信機９１０は、複数の部品であることができ、即ち、送信機及び受信機を備え、伝送媒体を介して他の装置と通信するユニットを提供する。異なるユーザー設備に対し、ユーザーインターフェース９３０は、外部接続または内部接続に必要な設備のインターフェースであることもできる。接続する設備は、キーパッド、ディスプレー、スピーカー、マイクロホン、ジョイスティックなどを備えるが、これに限られない。
【０２１１】
プロセッサ９００は、バスアーキテクチャ及び通常の処理を管理し、メモリ９２０は、プロセッサ９００が動作する際に利用するデータを記憶することができる。
【０２１２】
要約すると、本発明の実施形態によって提供される技術的解決策では、基地局はｇｒｏｕｐ ｃｏｍｍｏｎ ＰＤＣＣＨを通じて１つ以上のｓｌｏｔの構成を動的に示すか、または、基地局は、半静的な方式で１つ以上のｓｌｏｔの構成を構成する。
【０２１３】
基地局は、ＵＥ−ｓｐｅｃｉｆｉｃ ＤＣＩによって、ｕｎｋｎｏｗｎとして示される領域でデータを送信するように端末をスケジュールする。
【０２１４】
このようにしてｓｌｏｔ構成を示す解決策が提供され、将来のモバイル通信システムで、より低いネットワーク遅延およびより多様なサービス種類が要求され、システムによってサポートされるｓｌｏｔの構成はより柔軟で多様である。
【０２１５】
本分野の技術者として、本発明の実施形態が、方法、システム或いはコンピュータプログラム製品を提供できるため、本発明はすべてハードウェア実施形態、すべてソフトウェア実施形態、またはソフトウェアとハードウェアの両方を結合した実施形態を採用できることがわかるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置などを含むがそれとは限らない）において実施する。
【０２１６】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０２１７】
これらのコンピュータプログラム指令は、又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０２１８】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０２１９】
上述した実施形態に記述された技術的な解決手段を改造し、或いはその中の一部の技術要素を置換することもできる。そのような、改造と置換は本発明の各実施形態の技術の範囲から逸脱するとは見なされない。
【０２２０】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０２２１】
601  構成決定モジュール
602  指示モジュール
701  受信モジュール
702  ｓｌｏｔ決定モジュール
800  プロセッサ
810  送受信機
820  メモリ
900  プロセッサ
910  送受信機
920  メモリ
930  ユーザーインターフェース
【図１】
2020524965.tif 000009
【図２】
2020524965.tif 000010
【図３】
2020524965.tif 000011
【図４】
2020524965.tif 000012
【図５】
2020524965.tif 000013
【図６】
2020524965.tif 000014
【図７】
2020524965.tif 000015
【図８】
2020524965.tif 000016
【図９】
2020524965.tif 000017
【手続補正書】
【提出日】令和1年12月23日(2019.12.23)
【手続補正１】
【補正対象書類名】明細書
【補正対象項目名】００１２
【補正方法】変更
【補正の内容】
【００１２】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記アップリンク領域の前、ダウンリンク領域の後にある。
【手続補正２】
【補正対象書類名】明細書
【補正対象項目名】００２３
【補正方法】変更
【補正の内容】
【００２３】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記アップリンク領域の前、ダウンリンク領域の後にある。
【手続補正３】
【補正対象書類名】明細書
【補正対象項目名】００３４
【補正方法】変更
【補正の内容】
【００３４】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記アップリンク領域の前、ダウンリンク領域の後にある。
【手続補正４】
【補正対象書類名】明細書
【補正対象項目名】００４５
【補正方法】変更
【補正の内容】
【００４５】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記アップリンク領域の前、ダウンリンク領域の後にある。
【手続補正５】
【補正対象書類名】明細書
【補正対象項目名】００７４
【補正方法】変更
【補正の内容】
【００７４】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記アップリンク領域の前、ダウンリンク領域の後にある。
【手続補正６】
【補正対象書類名】明細書
【補正対象項目名】０１１０
【補正方法】変更
【補正の内容】
【０１１０】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記アップリンク領域の前、ダウンリンク領域の後にある。
【手続補正７】
【補正対象書類名】明細書
【補正対象項目名】０１５０
【補正方法】変更
【補正の内容】
【０１５０】
【表６】
2020524965.tif 000018
【手続補正８】
【補正対象書類名】明細書
【補正対象項目名】０１５５
【補正方法】変更
【補正の内容】
【０１５５】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記アップリンク領域の前、ダウンリンク領域の後にある。
【手続補正９】
【補正対象書類名】明細書
【補正対象項目名】０１６８
【補正方法】変更
【補正の内容】
【０１６８】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記アップリンク領域の前、ダウンリンク領域の後にある。
【手続補正１０】
【補正対象書類名】明細書
【補正対象項目名】０１８５
【補正方法】変更
【補正の内容】
【０１８５】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記アップリンク領域の前、ダウンリンク領域の後にある。
【手続補正１１】
【補正対象書類名】明細書
【補正対象項目名】０２０１
【補正方法】変更
【補正の内容】
【０２０１】
実施中、前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記アップリンク領域の前、ダウンリンク領域の後にある。
【手続補正１２】
【補正対象書類名】特許請求の範囲
【補正対象項目名】全文
【補正方法】変更
【補正の内容】
【特許請求の範囲】
【請求項１】
基地局は、スロット（ｓｌｏｔ）の構成を決定するステップと、
基地局は、動的または半静的な方式でｓｌｏｔの構成を端末に示すステップと、を備えることを特徴とするスロットの構成を示すための方法。
【請求項２】
ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上の直交周波数分割多重（ＯＦＤＭ）シンボルを含み、
前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され領域であり、
ガード期間（ｇｕａｒｄ ｐｅｒｉｏｄ）領域は、基地局側によって提供されるダウンリンクからアップリンクへの変換用の領域であることを特徴とする請求項１に記載のスロットの構成を示すための方法。
【請求項３】
前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記アップリンク領域の前、ダウンリンク領域の後にあることを特徴とする請求項２に記載のスロットの構成を示すための方法。
【請求項４】
基地局は、グループ共通物理ダウンリンク制御チャネル（ｇｒｏｕｐ ｃｏｍｍｏｎ ＰＤＣＣＨ）により、前記スロットの構成を前記端末に示し、
前記ｇｒｏｕｐ ｃｏｍｍｏｎ ＰＤＣＣＨは、端末のグループに対する有効な物理ダウンリンク制御チャネルＰＤＣＣＨであることを特徴とする請求項１から請求項３のいずれか一項に記載のスロットの構成を示すための方法。
【請求項５】
ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知され、および
１つのｇｒｏｕｐ ｃｏｍｍｏｎ ＰＤＣＣＨは、前記Ｎ個のｓｌｏｔの構成（ｓｔｒｕｃｔｕｒｅ）を示すスロットフォーマットｓｌｏｔ ｆｏｒｍａｔ指示フィールドを含み、
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含むことを特徴とする請求項４に記載のスロットの構成を示すための方法。
【請求項６】
基地局は、前記ｓｌｏｔのダウンリンク領域で送信されるダウンリンク制御インジケータ（ＤＣＩ）により、同じまたは異なるｓｌｏｔ内のｕｎｋｎｏｗｎ領域で送信されるデータをスケジュールし、前記データはアップリンクおよび/またはダウンリンクデータであることを特徴とする請求項４に記載のスロットの構成を示すための方法。
【請求項７】
ｓｌｏｔの構成が複数の可能な組み合わせを含むとき、基地局は高位層シグナリングにより、動的通知が必要とするＭ種類のｓｌｏｔ構成を端末に通知し、前記Ｍは自然数であることを特徴とする請求項４から請求項６のいずれか一項に記載のスロットの構成を示すための方法。
【請求項８】
基地局はｇｒｏｕｐ ｃｏｍｍｏｎ ＰＤＣＣＨを通じてｃｅｉｌ(ｌｏｇ２(Ｍ))ｂｉｔが含まれる指示情報を送信し、１つ以上のｓｌｏｔの構成を端末に通知し、
基地局が高位層シグナリングにより動的に示される必要があるＭ種類のｓｌｏｔ構成を通知するとき、各種類のｓｌｏｔ構成に含まれる領域および各種類の領域に含まれるＯＦＤＭシンボルの数を通知することを特徴とする請求項７に記載のスロットの構成を示すための方法。
【請求項９】
基地局が半静的な方式でｓｌｏｔの構成を端末に示すとき、高位層シグナリングによりＮｍｓ内の各ｓｌｏｔのアップリンクおよびダウンリンク構成を構成し、前記Ｎは０より大きい正の整数であることを特徴とする請求項１に記載のスロットの構成を示すための方法。
【請求項１０】
基地局から端末に動的または半静的な方式で示されたｓｌｏｔの構成を受信するステップと、
端末は、示されたｓｌｏｔ構成に従って、１つ以上のｓｌｏｔの構成を決定するステップと、を備えることを特徴とするスロットの構成を決定するための方法。
【請求項１１】
ｓｌｏｔは、アップリンク領域、ダウンリンク領域、未知の領域、ｅｍｐｔｙ領域およびｇｕａｒｄ ｐｅｒｉｏｄ領域のうちの１つまたは組み合わせ領域の構成を含み、各領域は１つ以上のＯＦＤＭシンボルを含み、前記アップリンク領域は、アップリンクデータを送信するための領域であり、
前記ダウンリンク領域は、ダウンリンクデータを送信するための領域であり、
未知の領域は、基地局が必要に応じて関連する操作を実行し、端末側が仮定を行わず、前記領域内のＯＦＤＭシンボル上でデータを送受信しないように構成された領域であり、
ｅｍｐｔｙ領域は、データを送信しないように構成され領域であり、
ガード期間（ｇｕａｒｄ ｐｅｒｉｏｄ）領域は、基地局側によって提供されるダウンリンクからアップリンクへの変換用の領域であることを特徴とする請求項１０に記載のスロットの構成を決定するための方法。
【請求項１２】
前記ｓｌｏｔが前記アップリンク領域および前記ダウンリンク領域を含むとき、前記アップリンク領域は前記ダウンリンク領域の後にあり、
前記ｓｌｏｔが前記ダウンリンク領域および未知の領域を含むとき、前記未知の領域は前記ダウンリンク領域の後にあり、
前記ｓｌｏｔが前記アップリンク領域および未知の領域を含むとき、前記未知の領域は前記アップリンク領域の前または後ろにあり、
前記ｓｌｏｔが前記アップリンク領域、前記ダウンリンク領域および未知の領域を含むとき、前記ダウンリンク領域はアップリンク領域の前にあり、前記未知の領域は、前記アップリンク領域の前、ダウンリンク領域の後にあることを特徴とする請求項１１に記載のスロットの構成を決定するための方法。
【請求項１３】
基地局は、ｇｒｏｕｐ ｃｏｍｍｏｎ ＰＤＣＣＨにより、前記端末に示し、
前記ｇｒｏｕｐ ｃｏｍｍｏｎ ＰＤＣＣＨは、端末のグループに対して有効なＰＤＣＣＨであることを特徴とする請求項１０から請求項１２のいずれか一項に記載のスロットの構成を決定するための方法。
【請求項１４】
ｇｒｏｕｐ ｃｏｍｍｏｎ ＰＤＣＣＨにより複数のｓｌｏｔの構成が示されるとき、ｇｒｏｕｐ ｃｏｍｍｏｎ ＰＤＣＣＨによって示される複数のｓｌｏｔの数Ｎは高位層シグナリングにより通知され、および
ｇｒｏｕｐ ｃｏｍｍｏｎ ＰＤＣＣＨは、前記Ｎ個のｓｌｏｔのｓｔｒｕｃｔｕｒｅを示すためのｓｌｏｔ ｆｏｒｍａｔ指示フィールド１つを含み、
または、ｇｒｏｕｐ ｃｏｍｍｏｎ ＰＤＣＣＨは、前記Ｎ個のｓｌｏｔのｓｔｒｕｃｔｕｒｅをそれぞれ示すＮ個のｓｌｏｔ ｆｏｒｍａｔ指示フィールドを含むことを特徴とする請求項１３に記載のスロットの構成を決定するための方法。
【請求項１５】
端末は、前記ｓｌｏｔのダウンリンク領域において基地局によって送信されたＤＣＩに従って、同じまたは異なるｓｌｏｔ内のｕｎｋｎｏｗｎ領域で送信されたデータを送受信することを特徴とする請求項１３に記載のスロットの構成を決定するための方法。
【請求項１６】
ｓｌｏｔの構成が複数の可能な組み合わせを含むとき、端末は、基地局によって高位層シグナリングを通じて送信された通知に従って、動的通知が必要とするＭ種類のｓｌｏｔ構成を取得することを特徴とする請求項１３から請求項１５のいずれか一項に記載のスロットの構成を決定するための方法。
【請求項１７】
端末はｇｒｏｕｐ ｃｏｍｍｏｎ ＰＤＣＣＨを通じてｃｅｉｌ(ｌｏｇ２(Ｍ))ｂｉｔが含まれる指示情報を受信し、端末の１つ以上のｓｌｏｔの構成を取得し、
端末が高位層シグナリングにより動的に示される必要があるＭ種類のｓｌｏｔ構成を取得するとき、端末は、各種類のｓｌｏｔ構成に含まれる領域および各種類の領域に含まれるＯＦＤＭシンボルの数を取得することを特徴とする請求項１６に記載のスロットの構成を決定するための方法。
【請求項１８】
端末が、基地局が半静的な方式で示されたｓｌｏｔの構成を受信するとき、高位層シグナリングによりＮｍｓ内の各ｓｌｏｔのアップリンクおよびダウンリンク構成を構成し、前記Ｎは０より大きい正の整数であることを特徴とする請求項１０に記載のスロットの構成を決定するための方法。
【請求項１９】
基地局においてｓｌｏｔの構成を決定するように構成された構成決定モジュールと、
基地局において、動的または半静的な方式でｓｌｏｔの構成を端末に示すように構成された指示モジュールと、を備えることを特徴とするスロットの構成を示すための装置。
【請求項２０】
受信基地局によって端末に動的または半静的な方式で示されたｓｌｏｔの構成を受信するように構成された受信モジュールと、
端末において、示されたｓｌｏｔ構成に従って、１つ以上のｓｌｏｔの構成を決定するように構成されたｓｌｏｔ決定モジュールと、を備えることを特徴とするスロットの構成を決定するための装置。
【国際調査報告】
2020524965.tif 000019
2020524965.tif 000020
2020524965.tif 000021
2020524965.tif 000022